(57)【要約】      （修正有）【課題】ホスト機器に各種の周辺機器のドライバをインストールする必要がなく、周辺機器と接続するための電気接続ポートを具備する必要もなく、しかもオペレーティングシステムプラットフォームをクロスして使用できる販売管理システムを提供する。【解決手段】周辺機器と電気接続され、ホスト機器と、周辺機器制御器と、複数個の周辺機器と、ウェブ基盤に構築されるウェブページ端末販売システムが設けられるクラウドサーバーとを備え、ホスト機器のネットワークを介してクラウドサーバーと接続されると共に、ホスト機器のブラウザーをインタフェースとしてクラウドサーバーのウェブページ端末販売システムを操作実行し、周辺機器制御器は、ウェブページ端末販売システムからの周辺機器の操作指令を受信し、また周辺機器ドライバを介して指令を実行することで、ウェブページ端末販売システムに簡易に各タイプの周辺機器を接続してコントロールする。【選択図】図２
0003215991.tif 000002
【実用新案登録請求の範囲】
【請求項１】
少なくともブラウザーとインターネット接続装置とが内蔵されたホスト機器と、少なくとも制御板を具備する周辺機器制御器と、クラウドサーバーとを備える、周辺機器と電気接続される周辺機器制御器を有する販売管理システムであって、
前記制御板には、電気接続される電子部品と、複数個の周辺機器電気接続ポートと、複数個の周辺機器ドライバとが設けられ、前記周辺機器制御器は、前記ホスト機器と有線又は無線で結合されており、
前記クラウドサーバーには、ウェブ基盤に構築されるウェブページ端末販売システムが設けられ、前記ホスト機器は、前記インターネット接続装置のネットワークを介して前記クラウドサーバーと電気接続されると共に、前記ホスト機器の前記ブラウザーをインタフェースとして前記クラウドサーバーの前記ウェブページ端末販売システムを操作実行し、
前記周辺機器制御器は、前記ウェブページ端末販売システムからの当該周辺機器を操作する指令を受信し、前記周辺機器制御器は、また当該周辺機器ドライバを介して指令を実行することを特徴とする、周辺機器制御器を有する販売管理システム。
【請求項２】
前記ホスト機器の前記ブラウザーによって前記クラウドサーバーの前記ウェブページ端末販売システムを操作実行し、即時に入力データと、出力データと、演算結果とを前記クラウドサーバーに格納することを特徴とする、請求項１に記載の周辺機器制御器を有する販売管理システム。
【請求項３】
前記ホスト機器は、デスクトップ型コンピュータ、ノートブック型コンピュータ、タブレットコンピュータ、又は携帯電話であることを特徴とする、請求項１に記載の周辺機器制御器を有する販売管理システム。
【請求項４】
当該周辺機器は、プリンタ、バーコードスキャナー、磁気カードリーダー、クレジットカードリーダー、キャッシュドロア、請求書発行機、スクリーン、キーボード及びスタイラスペンのうちのいずれか１つ、又はそれらの組合せであることを特徴とする、請求項１に記載の周辺機器制御器を有する販売管理システム。
【請求項５】
複数個の当該周辺機器は、前記周辺機器制御器と有線又は無線で結合されていることを特徴とする、請求項１に記載の周辺機器制御器を有する販売管理システム。
【請求項６】
前記電子部品は、マイクロプロセッサ又はメモリであることを特徴とする、請求項１に記載の周辺機器制御器を有する販売管理システム。
【考案の詳細な説明】
【技術分野】
【０００１】
本考案は、端末販売システムに係り、特に、周辺機器制御器を有する販売管理システムに関するものである。
【背景技術】
【０００２】
企業の運営効率の向上及び人因誤差発生確率の低減のために、昨今、飲食業、コンビニエンスストアや物流などの業界のスケジュール管理は、いずれも全面電子化及び情報化対応を主要な発展動向として、信頼性のある情報管理設備及びプログラム応用を介してコストの低減、管理の有効性の向上及び企業のスケジュール管理効率の増大などの目的を図ることが望まれる。このため、如何にして急速な電子化、急速な情報化及び低エラー率などの優位性を有効活用するかが、管理上の重大な課題となっており、そしてその中、如何にして端末販売システムを善用するかが、成否を左右する重要なキーポイントの一つとなっている。
【０００３】
端末販売システム９２（英語名：Ｐｏｉｎｔ  ｏｆ  Ｓａｌｅ、英語略称：ＰＯＳ）の使用者にとっては、図１に示すように、端末販売システム９２のパーソナルコンピュータ９１と、バーコードスキャナー、カードリーダーやプリンタなどのような端末販売システム９２に関連する周辺機器９４とを備える必要があり、前記端末販売システム９２は、また関連するデータをクラウドサーバー９３上に格納することができるが、携帯電話やタブレットコンピュータなどのようないくつかのホスト機器では、パーソナルコンピュータの周辺機器電気接続ポートがないものがあり、これらの周辺機器を電気接続及び操作するには困難がある。
【０００４】
従って、如何にして端末販売システムにおける上記の欠点を改善するかが、業界が努力して解決・克服しなければならい課題である。
【考案の概要】
【考案が解決しようとする課題】
【０００５】
以上のように、本願の考案者は、その解決策の研究開発に即座に着手し、携帯電話やタブレットコンピュータなどのようないくつかのホスト機器に簡易にこれらの周辺機器を電気接続して操作することができるのみならず、異なるオペレーティングシステムプラットフォーム上で作動することもできる、周辺機器制御器を有する販売管理システムの開発が望まれており、端末販売システムの使用効率及び使用柔軟性を効果的に高め、社会貢献及び産業発展の促進を図るために、長期間構想を経て、遂に本考案を完了するに至った。
【０００６】
本考案の目的は、周辺機器制御器の設置によって、ウェブページ端末販売システムに簡易に各タイプの周辺機器を電気接続してコントロールすることにより、ホスト機器には各種の周辺機器のドライバをインストールする必要がなく、各種の周辺機器と電気接続されるための電気接続ポートを具備する必要もなく、しかもオペレーティングシステムプラットフォームをクロスして使用する利点がある、周辺機器制御器を有する販売管理システムを提供することである。
【課題を解決するための手段】
【０００７】
上記目的及び作用効果を達成するために採用した本考案の技術手段は、周辺機器と電気接続される周辺機器制御器を有する販売管理システムを含み、それは、少なくともブラウザーとインターネット接続装置とが内蔵されたホスト機器と、制御板を具備する周辺機器制御器と、クラウドサーバーとを備え、前記制御板には、電気接続される電子部品と、複数個の周辺機器電気接続ポートと、複数個の周辺機器ドライバとが設けられ、前記周辺機器制御器は、前記ホスト機器と有線又は無線で結合されており、クラウドサーバーには、ウェブ基盤に構築されるウェブページ端末販売システムが設けられ、前記ホスト機器は、前記インターネット接続装置のネットワークを介して前記クラウドサーバーと電気接続されると共に、前記ホスト機器のブラウザーをインタフェースとして前記クラウドサーバーのウェブページ端末販売システムを操作実行し、その中、前記周辺機器制御器は、前記ウェブページ端末販売システムからの周辺機器を操作する指令を受信し、前記周辺機器制御器は、また当該周辺機器ドライバを介して指令を実行する。
【０００８】
前記構成において、前記ホスト機器のブラウザーによって前記クラウドサーバーのウェブページ端末販売システムを操作実行し、即時に入力データと、出力データと、演算結果とを前記クラウドサーバーに格納する。
【０００９】
前記構成において、前記ホスト機器は、デスクトップ型コンピュータ、ノートブック型コンピュータ、タブレットコンピュータ、又は携帯電話である。
【００１０】
前記構成において、前記周辺機器制御器は、複数個の当該周辺機器と有線又は無線で結合されている。
【００１１】
前記構成において、前記電子部品は、マイクロプロセッサ（ＣＰＵ）又はメモリである。
【００１２】
前記構成において、その中、当該周辺機器は、プリンタ、バーコードスキャナー、磁気カードリーダー、クレジットカードリーダー、キャッシュドロア、請求書発行機、スクリーン、キーボード及びスタイラスペンのうちのいずれか１つ、又はそれらの組合せである。
【考案の効果】
【００１３】
以上の説明から明らかなように、本システムによる利点は、本システムのホスト機器には、必要条件が比較的に簡単になり、例えば、１台の携帯電話やタブレットコンピュータをそのまま本システムのホスト機器とすることができ、各種の周辺機器のドライバをインストールする必要がなく、各種の周辺機器と電気接続されるための電気接続ポートを具備する必要もなく、周辺機器制御器を設置するだけで、各タイプの周辺機器をコントロールすることができ、しかもオペレーティングシステムプラットフォームをクロスして使用する利点がある。
【００１４】
本考案をより明瞭に理解するために、その技術的特徴及びそれが達成できる作用効果について、好ましい実施例の図面を添付して詳細な説明に合わせて後述する。
【図面の簡単な説明】
【００１５】
【図１】従来のＰＯＳシステムの構造概略図である。
【図２】本考案の基本構造概略図である。
【考案を実施するための形態】
【００１６】
図２を参照して、本考案に係る周辺機器制御器を有する販売管理システム１の基本構成について説明すると、
少なくともブラウザー２２とインターネット接続装置（図示せず）とが内蔵されたホスト機器２１と、
制御板と、複数個の周辺機器電気接続ポート（図示せず）と、複数個の周辺機器ドライバ３２とを具備する周辺機器制御器３１（英語名：Ｉｎｐｕｔ  Ｏｕｔｐｕｔ  ＢＯＸ、略称：Ｉ／Ｏ  ＢＯＸ）と、
ウェブ基盤（Ｗｅｂ−ｂａｓｅｄ）に構築されるウェブページ端末販売システム５２（ＰＯＳ）が設けられるクラウドサーバー５１とを備え、
前記周辺機器制御器３１は、前記ホスト機器２１と有線又は無線で結合されており、
前記ホスト機器２１は、前記インターネット接続装置のネットワークを介して前記クラウドサーバー５１と電気接続されると共に、前記ホスト機器２１のブラウザー２２をインタフェースとして前記クラウドサーバー５１のウェブページ端末販売システム５２を操作実行する。
【００１７】
その中、前記制御板には、ＣＰＵやメモリのような電気接続される電子部品が設けられる。
【００１８】
その中、前記周辺機器制御器３１は、複数個の周辺機器４１と有線又は無線で結合されている。
【００１９】
その中、前記周辺機器制御器３１は、前記ウェブページ端末販売システム５２からの周辺機器４１を操作する指令を受信し、前記周辺機器制御器３１は、当該周辺機器４１ドライバ３２を介して指令を実行する。
【００２０】
ウェブ基盤（Ｗｅｂ−ｂａｓｅｄ）に構築される前述のウェブページ端末販売システム５２とは、前記ウェブページ端末販売システム５２がウェブページ言語でプログラミングされた１種のソフトウェアであることを指し、前記ウェブページ言語は、例えば、ＨＴＭＬ、ＪａｖａＳｃｒｉｐｔ（登録商標）やＪａｖａ（登録商標）などのプログラム言語であってもよく、これらのウェブページ言語でプログラミングされたアプリケーションプログラムは、ブラウザー２２をインタフェースとして操作実行することができ、その特色は、オペレーティングシステムの制限を受けない点であり、例えば、Ｗｉｎｄｏｗｓ、Ｍａｃ、Ｌｉｎｕｘ（登録商標）やｉＯＳなどのオペレーティングシステム上で実行することができ、プラットフォームをクロスして使用する利点が達成される。
【００２１】
前述のホスト機器２１は、デスクトップ型コンピュータ、ノートブック型コンピュータ、タブレットコンピュータ、又は携帯電話などであってもよく、ブラウザー２２の作動を実行できるものであればよい。
【００２２】
前述のウェブページ端末販売システム５２は、一般の販売、現金出納、及び請求書や領収書の印刷などの作業を実行すると共に、店舗／インショップ／加盟店の在庫明細表、店舗・インショップの売上日明細表、会員の売上統計表、商品の店舗・インショップ別売上日明細表、店舗・インショップの売上月統計表、店舗・インショップの売上月間日別統計表、時間帯売上統計表、商品の時間帯売上統計などの機能を提供し、以上に挙げた例は、単なる説明上の一例に過ぎず、実際のウェブページ端末販売システム５２の機能は、上記に限定されるものではない。
【００２３】
前述のウェブページ端末販売システム５２について、使用者が前記ホスト機器２１のブラウザー２２上にある前記ウェブページ端末販売システム５２のリンクノードをクリックすることだけで、前記ブラウザー２２をインタフェースとして前記ウェブページ端末販売システム５２の全ての機能を実行することが可能になり、使用者が端末販売システムのソフトウェアをダウンロードする必要がなく、端末販売システムをインストールする必要がなく、前記ウェブページ端末販売システム５２のアップグレードと更新を行う必要もなく、使用者にとって使用が非常に簡単になり、メンテナンス上の負担もなくなる。
【００２４】
前述の周辺機器４１は、プリンタ（ｐｒｉｎｔｅｒ）、バーコードスキャナー（Ｂａｒ−Ｃｏｄｅ  Ｓｃａｎｎｅｒ）、磁気カードリーダー（Ｍａｇｎｅｔｉｃ  Ｃａｒｄ  Ｒｅａｄｅｒ）、クレジットカードリーダー（Ｃｒｅｄｉｔ  Ｃａｒｄ  Ｒｅａｄｅｒ）、キャッシュドロア（Ｃａｓｈ  Ｄｒａｗｅｒ）、請求書発行機（Ｉｎｖｏｉｃｅ  Ｍａｃｈｉｎｅｒｙ）、スクリーン、キーボード及びスタイラスペンのうちのいずれか１つ、又はそれらの組合せであってもよいが、上記に限定されるものではない。
【００２５】
前記ホスト機器２１が前記ウェブページ端末販売システム５２で周辺機器４１を操作しようとする場合に、前記周辺機器制御器３１を介して当該周辺機器４１をコントロールするので、前記ホスト機器２１は、周辺機器４１の電気接続ポートがなくても、周辺機器４１のドライバ３２がなくても、当該周辺機器４１をコントロールすることができるようになる。
【００２６】
前述の前記ホスト機器２１のブラウザー２２によって前記クラウドサーバー５１のウェブページ端末販売システム５２を操作実行し、即時に入力データと、出力データと、演算結果とを前記クラウドサーバー５１に格納し、このような手法では、ホスト機器２１のハードウェア条件と演算負荷を軽減することができるのみならず、さらに地域別、店舗別、時間帯別に集計した販売データや顧客の属性別又は趣味嗜好別などのデータを含む前記クラウドサーバー５１に格納されたデータから、ビッグデータが形成されると共に、さらに前記ビッグデータについての統計分析に基づいて、価値のある傾向情報が得られる。
【００２７】
ウェブ基盤（Ｗｅｂ−ｂａｓｅｄ）に構築されるウェブページソフトウェアを使用することで、オペレーティングシステムプラットフォームをクロスして使用する利点があるが、端末販売システムでは、バーコードスキャナー、磁気カードリーダー、クレジットカードリーダー、キャッシュドロアや請求書発行機などのような様々な周辺機器４１の使用が必要なため、ブラウザー２２上に作動するウェブページソフトウェアは、構造上、前記ブラウザー２２所在のホスト機器２１と電気接続される周辺機器４１を直接コントロールすることができないので、現在の端末販売システムのほとんどは、オペレーティングシステム上で直接実行するアプリケーションソフトウェアとなっており、またオペレーティングシステム上の各種のドライブを介して対応の周辺機器４１をコントロールし、こうして前記端末販売システムを実行するホスト機器２１には、多種の必要なドライバ３２をインストールしたり、多種の必要な電気接続ポートを設置したりする必要があることから、選択可能なホスト機器２１が以上の要求によって限られてしまい、しかもオペレーティングシステムプラットフォームをクロスして使用する利点もない。
【００２８】
本システムは、周辺機器制御器３１を設置することにより、以上の問題を解決するものであり、例えば、使用者が前記周辺機器制御器３１を用いて請求書の印刷を操作実行する場合に、前記周辺機器制御器３１に請求書を印刷する旨の指令を受信すると、当該周辺機器４１に対応するドライバ３２と、電気接続インタフェース（例えば、ＵＳＢポート、ＲＳ−２３２ポートやブルートゥース（登録商標）伝送インタフェースなど）とを介して周辺機器４１と電気接続され、請求書を印刷する指令を実行し、請求書の印刷を完了した後に、また当該周辺機器４１の実行操作結果を前記ウェブページ端末販売システム５２に返送し、使用者に請求書を印刷する作業が既に完了したことを知らせる。
【００２９】
以上の説明から明らかなように、本システムによる利点は、本システムのホスト機器２１には、必要条件が比較的に簡単になり、例えば、１台の携帯電話やタブレットコンピュータをそのまま本システムのホスト機器２１とすることができ、各種の周辺機器４１のドライバ３２をインストールする必要がなく、各種の周辺機器４１と電気接続されるための電気接続ポートを具備する必要もなく、周辺機器制御器３１を設置するだけで、各タイプの周辺機器４１をコントロールすることができ、しかもオペレーティングシステムプラットフォームをクロスして使用する利点がある。
【００３０】
以上の説明をまとめると、本考案は確実に非常に優れた独創的な着想であるため、法に従って実用新案登録請求を出願する。ただ、上記説明の内容は、本考案の好ましい実施例の説明に過ぎず、本考案の技術手段に基づいて拡張された変化は、本考案の実用新案登録請求の範囲に含まれることを特にここで説明しておく。
【符号の説明】
【００３１】
１：周辺機器制御器を有する販売管理システム
２１：ホスト機器
２２：ブラウザー
３１：周辺機器制御器
３２：ドライバ
４１：周辺機器
５１：クラウドサーバー
５２：ウェブページ端末販売システム
【図１】
0003215991.tif 000003
【図２】
0003215991.tif 000004